(57)【特許請求の範囲】
【請求項１】
容器の口部に固定される固定筒と、容器の口部上端に配置されるとともに固定筒に一体に設けられた天壁部と、当該天壁部から一体に起立してその内側に容器に通じる通路を形成する筒体部と、当該筒体部に形成された開口部を取り外し可能に密閉する封止栓とを備える注出キャップであって、
筒体部は、軸線を挟んで対向する位置に薄肉部を備え、
当該薄肉部にそれぞれ、他の容器の口部に挿入したとき、当該口部の上端に接触したのち、口部の内周面に沿って折れ曲がるレバー部を有するとともに、
当該レバー部の折れ曲がりに追従して、前記通路を開口する障壁を有することを特徴とする注出キャップ。
【請求項２】
請求項１において、前記レバー部は、前記障壁よりも厚みを有するものであることを特徴とする注出キャップ。
【請求項３】
請求項１又は２において、前記レバー部は、その外縁部における前記筒体部の先端側に該筒体部の先端に向かって先細りになるように傾斜する傾斜面を備えることを特徴とする注出キャップ。
【請求項４】
請求項１乃至３のいずれか１項において、前記封止栓は、筒体部に対して開閉可能に繋がる蓋体と、この蓋体の閉じ状態を固定する固定カバーとを有し、
当該固定カバー及び蓋体を切断可能な連結部を介して筒体部に連結したことを特徴とする注出キャップ。
【請求項５】
請求項１乃至４のいずれか１項において、天壁部は、筒体部から放射状に伸びる凸部又は凹部を備えることを特徴とする注出キャップ。
【発明の詳細な説明】
【技術分野】
【０００１】
本発明は、例えば、一方の容器に充填された内容物を他方の容器に詰め替える際に用いられる注出キャップに関するものである。
【背景技術】
【０００２】
詰め替えを行う手段としては、例えば、内容物の充填が行われる本体容器の口部に挿入される挿入口部を有し、この挿入口部の上部に切断可能な薄肉部を介してもぎり栓を設けるとともに、当該挿入口部を倒立させて他の容器口部に挿入したとき、当該倒立状態が維持されるように、口部内周面に弾性圧接する羽根部を設けたものがある（例えば、特許文献１参照）。
【先行技術文献】
【特許文献】
【０００３】
【特許文献１】特願２０１０−１２６２２０号公報
【発明の概要】
【発明が解決しようとする課題】
【０００４】
このように詰め替え容器を倒立させて本体容器の口部に挿し込むことにより、内容物を詰め替える方法は、ポンプ付き容器に代表される据え置きタイプに有効である。
【０００５】
しかしながら、上述した従来のものは、もぎり栓を取った詰め替え容器を倒立させて、本体容器に挿し込むまでの間に、内容物がこぼれてしまう可能性がある。
【０００６】
本発明の目的とするところは、筒体部を開封状態で逆さまにしても内容物がこぼれることなく、当該筒体部を通して内容物を取り出すことができる新規の注出キャップを提供することにある。
【課題を解決するための手段】
【０００７】
本発明は、容器の口部に固定される固定筒と、容器の口部上端に配置されるとともに固定筒に一体に設けられた天壁部と、当該天壁部から一体に起立してその内側に容器に通じる通路を形成する筒体部と、当該筒体部に形成された開口部を取り外し可能に密閉する封止栓とを備える注出キャップであって、
筒体部は、軸線を挟んで対向する位置に薄肉部を備え、
当該薄肉部にそれぞれ、他の容器の口部に挿入したとき、当該口部の上端に接触したのち、口部の内周面に沿って折れ曲がるレバー部を有するとともに、
当該レバー部の折れ曲がりに追従して、前記通路を開口する障壁を有することを特徴とするものである。
【０００８】
本発明では、前記レバー部は、前記障壁よりも厚みを有するものであることが好ましい。また、同レバー部は、その外縁部における前記筒体部の先端側に該筒体部の先端に向かって先細りになるように傾斜するに傾斜面を備えることが好ましい。
【０００９】
また、前記封止栓は、切断可能な連結部を介して繋がるものは勿論、筒体部に対して開閉可能に繋がる蓋体と、この蓋体の閉じ状態を固定する固定カバーとを有し、当該固定カバー及び蓋体を切断可能な連結部を介して筒体部に連結したものとすることができる。
【００１０】
天壁部には、筒体部から放射状に伸びる凸部又は凹部を設けることが好ましい。
【発明の効果】
【００１１】
本発明に係る、筒体部には、軸線を挟んで対向する位置に薄肉部が設けられており、この薄肉部にはそれぞれ、筒体部の内側に形成された通路内での障害物となる障壁が存在する。このため、封止栓を取り外したのち、容器ごと逆さまにしても、当該通路を通しての、内容物の漏れを阻止する。
【００１２】
その一方で、上記障壁は、他の容器の口部に挿入したとき、当該口部の上端に接触したのち、口部の内周面に沿って折れ曲がるレバー部に追従して前記通路を開口する。このため、筒体部を他の容器の口部に挿入すれば、筒体部の内側に形成された通路を通して内容物を取り出すことができる。
【００１３】
従って、本発明によれば、筒体部を開封した状態で逆さまにしても内容物がこぼれることなく、当該筒体部を通して内容物を取り出すことができる新規の注出キャップを提供することができる。
【図面の簡単な説明】
【００１４】
【図１】本発明である注出キャップの一形態であって、当該キャップを詰め替え容器に採用した状態を一部断面で示す図である。
【図２】(a)は、図１のＸ矢視図であり、(b)は、(a)のＹ−Ｙ断面図である。
【図３】同形態に係る詰め替え容器の未開封状態を示す平面図である。
【図４】同形態に係る詰め替え容器の開封後状態を示す平面図である。
【図５】同形態に係る詰め替え容器を用いて本体容器に内容物を詰め替える直前状態を示す縦断面図である。
【図６】同形態に係る詰め替え容器を用いて本体容器に内容物を詰め替えるときの状態を示す縦断面図である。
【図７】本体容器の一例である、ポンプ容器を示す側面図である。
【発明を実施するための形態】
【００１５】
以下、図面を参照して、本発明である、注出キャップの一形態を詳細に説明する。
【００１６】
図中、符号１は、本発明の一形態であって、内容液Ｃが充填された詰め替え容器２０に適用される合成樹脂製の注出キャップである。注出キャップ１は、詰め替え容器２０の口部２１に固定される固定筒２と、口部２１上端に配置されるとともに固定筒２に一体に設けられた天壁部３と、この天壁部３から一体に起立する筒体部４とを備える。
【００１７】
筒体部４の内側には通路Ｒが形成されている。また、天壁部３の裏面には、口部２１の内周面２１ｆを密封保持する筒状のシール部３ａが一体に垂下し、容器２０の充填空間Ｓ２０を通路Ｒに通じさせる。更に、天壁部３には、４つの凸部３ｂが設けられている。凸部３ｂはそれぞれ、筒体部４から放射状に伸びる。
【００１８】
筒体部４は、図１に示すように、軸線Ｏを挟んで対向する位置に２つの薄肉部４ａを備える。薄肉部４ａにはそれぞれ、レバー部５が一体に設けられている。レバー部５は、図１等に示すように、外向きに突出する板状の部材であって、その外縁部５ａは傾斜面で構成されている。傾斜面は、筒体部４の先端に向かって先細りになるように傾斜する。
【００１９】
レバー部５には、薄肉部４ａを介して、通路Ｒ内での障害物となる障壁６が一体に設けられている。障壁６は、図２(b)等に示すように、軸線Ｏに向かって内向きに突出する板状の部材である。障壁６はそれぞれ、その内縁部６ａの相互間に微小隙間を形成する。加えて、筒体部４の内周面４ｆには、障壁６の側縁部６ｂとの間に微小隙間を形成する突出部７が一体に設けられている。これにより、通路Ｒ内には、Ｈ字形状の開口部Ｓ が形成される。開口部Ｓは、Ｈ字形状に形作られた薄い隙間で構成されたスリットであることで、詰め替え容器２０ごと注出キャップ１を逆さまにしても、内容液Ｃの表面張力によって、開口部Ｓを通しての漏れを阻止する。
【００２０】
また、障壁６は、レバー部５に対して薄肉部４ａを介して一体に設けられていることから、レバー部５が薄肉部４ａを基点に折れ曲がると、その折れ曲がりに追従して薄肉部４ａを基点に一体に揺動する。即ち、レバー部５が薄肉部４ａを基点に折れ曲がると、障壁６は、それに追従して薄肉部４ａを基点に開口部Ｓを大きく開く。このため、レバー部５が薄肉部４ａを基点に折れ曲がると、開口部Ｓを大きく開くことで、内容液Ｃの取り出しが可能となる。
【００２１】
本形態では、図５及び図６に示すように、レバー部５は、薄肉部４ａから、本体容器３０の口部３１に挿入したとき、当該口部３１の上端に接触したのち、口部３１の内周面３１ｆに沿って折れ曲がるように延在させている。これにより、筒体部４を口部３１に挿入すれば、当該口部３１内にレバー部５ごと押し込んで、開口部Ｓを大きく開くことができる。
【００２２】
符号８は、筒体部４の先端４ｅに形成された開口部Ａを取り外し可能に密閉する封止栓である。封止栓８は、筒体部４に対して開閉可能に繋がる蓋体８ａと、この蓋体８ａの閉じ状態を固定する固定カバー８ｂとを有し、当該固定カバー８ｂ及び蓋体８ａを切断可能な連結部８ｃ，８ｄを介して筒体部４に連結したものである。
【００２３】
詳細には、固定カバー８ｂは、図２(a)に示すように、蓋体８ａに設けられた突起部８ａ1を係止する爪部８ｂ1を有し、蓋体８ａを筒体部４に対して開放不能に固定する。連結部８ｃは、固定カバー８ｂを筒体部４に対して一体に連結する。連結部８ｃは、薄肉に形成されていることから、この連結部８ｃを切断することで、固定カバー８ｂを筒体部４から取り外すことができる。
【００２４】
また、連結部８ｄは、薄肉のヒンジ部であって、蓋体８ａを筒体部４に対して開閉可能に連結する。連結部８ｄは、薄肉に形成されていることから、この連結部８ｃを切断することで、蓋体８ａを筒体部４から取り外すことができる。
【００２５】
ここで、本形態に係る注出キャップ１付き詰め替え容器２０を用いて、本体容器３０に内容液Ｃを詰め替える作業工程を説明する。
【００２６】
本形態では、使用者は先ず、図３に示す固定カバー８ｂを筒体部４から取り除くことで、図４に示すように、蓋体８ａを開くとともに、この蓋体８ａをヒンジ部となる連結部８ｄの切断により筒体部４から分離する。このとき、内容液Ｃは、開口部ＳがＨ字形状に形作られた薄い隙間で構成されていることで、詰め替え容器２０ごと注出キャップ１を逆さまにしても、内容液Ｃの表面張力によって、開口部Ｓを通して漏れ難い。
【００２７】
このため、図５に示すように、筒体部４を開封したのち、詰め替え容器２０とともに逆さにしても、内容液Ｃが漏れることなく、筒体部４を本体容器３０の口部３１に挿入できる。
【００２８】
このとき、レバー部５は、同図に示すように、口部３１の上端に接触するが、筒体部４を更に押し込むと、図６に示すように、薄肉部４ａが変形することから、口部３１の内周面３１ｆに沿って折れ曲がることで、障壁６も一体的に筒体部４の先端４ｅ側に押し開かれる。これにより、開口部Ｓを大きく開くことで、内容液Ｃの取り出しが可能となる。従って、筒体部４を口部３１に挿し込むだけの簡単な操作で、充填空間Ｓ20の内容液Ｃを、本体容器３０の充填空間Ｓ30に詰め替えることができる。
【００２９】
また、本形態では、天壁部３に、筒体部４から放射状に伸びる凸部３ｂを設けられているため、当該凸部３ｂは、口部３１の上端と接したとき、その周方向の相互間が充填空間Ｓ３０を外界に通じさせる空気置換路として機能する。このため、天壁部３に凸部３ｂを設ければ、筒体部４を倒立させた状態で挿し込んで、内容液Ｃを詰め替える場合に有効である。なお、凸部３ｂは、少なくとも１箇所設ければよく、また、凸部３ｂは凹部に置き換えても同様の作用効果を奏する。
【００３０】
なお、図７は、本体容器３０の適用例であり、本体容器３０には、液体噴出器４０が取り付けられている。液体噴出器４０は、口部３１に固定されるベース４１を有し、ステム４２を介してヘッド４３が設けられた既存のポンプであり、ヘッド４３に設けられたノズル４４を通して詰め替えられた内容液Ｃを取り出すことができる。なお、符号５０は、ステム４２に対して着脱可能に取り付けられたストッパであり、ステム４２に対して着脱可能に嵌合保持される本体５１と本体５１を着脱させるための把持部５２を一体に備える。
【００３１】
上述のように、本形態に係る、筒体部４には、軸線Ｏを挟んで対向する位置に薄肉部４ａが設けられており、この薄肉部４ａにはそれぞれ、筒体部４の内側に形成された通路Ｒ内での障害物となる障壁６が存在する。このため、封止栓８を取り外したのち、詰め替え容器２０ごと逆さまにしても、当該通路Ｒを通しての、内容液Ｃの漏れを阻止する。
【００３２】
その一方で、上記障壁６は、本体容器３０の口部３１に挿入したとき、当該口部３１の上端に接触したのち、口部３１の内周面３１ｆに沿って折れ曲がるレバー部５に追従して通路Ｒ（開口部Ｓ）を開口する。このため、図６に示すように、筒体部４を口部３１に挿入すれば、筒体部４の内側に形成された通路Ｒを通して内容液Ｃを取り出すことができる。
【００３３】
従って、本発明によれば、筒体部４を開封した状態で逆さまにしても内容液Ｃがこぼれることなく、筒体部４を通して内容液Ｃを取り出すことができる。
【００３４】
ところで、本発明に従えば、レバー部５は、障壁６と同一の厚みとすることも可能であるが、本形態では、レバー部５は、図６等からも明らかなように、障壁６よりも厚みを有する。この場合、レバー部５の強度（剛性）が高まることで、口部３１を基点にした隔壁６の確実な押し開きを実現できるとともに、隔壁６の押し開きをスムースに行うことができる。
【００３５】
また、本形態では、レバー部５の外縁部５ａを傾斜面で構成したことで、当該外縁部５ａは、口部３１の内周面３１ｆに沿った折れ曲がりを案内する。かかる構成によっても、隔壁６の押し開きをスムースに行うことができる。
【００３６】
更に、封止栓８は、切断可能な連結部を介して筒体部４に繋がるもぎり栓で構成することも可能であるが、本形態では、上述のとおり、筒体部４に対して開閉可能に繋がる蓋体８ａと、この蓋体８ａの閉じ状態を固定する固定カバー８ｂとを有し、当該固定カバー８ｂ及び蓋体８ａを切断可能な連結部８ｃ，８ｄを介して筒体部４に連結したから、大きな力を要することなく、比較的小さな力で楽に開封することができる。
【００３７】
上述したところは、本発明の一形態を示したにすぎず、特許請求の範囲において、種々の変更を加えることができる。例えば、固定部２は、その内側に係合リブ２ａを有し、この係合リブ２ａが口部２１に設けられた係合リブ２１ａと嵌合することで、固定保持されるものであるが、容器口部２１に螺着させることもできる。但し、この場合には、容器口部２１に螺着させたのち、軸線Ｏ周りの回転を阻止する回り止め手段を設けることが好ましい。回り止め手段としては、例えば、口部２１に突起を設けるとともに、この突起を乗り越えて互いの相互間で挟持する２つの突起を固定部２の内側に設ける。これにより、口部２１に螺着させたのち、注出キャップ１が軸線Ｏ周りに回転することを阻止できる。 
【００３８】
また、詰め替え容器２０は、保形性を有して変形し難いハードタイプの容器は勿論、変形及び復元の可能な可撓性を有するソフトタイプの容器、或いは、内層と外層の二層を有し内層が外層に対して剥離可能な剥離容器など、様々な容器に適用することができる。 
【産業上の利用可能性】
【００３９】
本発明は、容器の口部に固定される固定筒と、容器の口部上端に配置されるとともに固定筒に一体に設けられた天壁部と、当該天壁部から一体に起立してその内側に容器に通じる通路を形成する筒体部と、当該筒体部に形成された開口部を取り外し可能に密閉する封止栓とを備える注出キャップであれば、様々なものに適用することができる。また、内容物も液体に限定されることなく、粉体等の流動体に適用できる。
【符号の説明】
【００４０】
１    注出キャップ
２    固定部
３    天壁部
３ｂ  凸部
４    筒体部
４ａ  薄肉部
５    レバー部
５ａ  レバー部外縁部
６    障壁
６ａ  障壁内縁部
８    封止栓
８ａ  蓋体
８ｂ  固定カバー部
８ｃ  連結部
８ｄ  連結部（ヒンジ）
２０  詰め替え容器
２１  容器口部
３０  本体容器
３１  容器口部
Ｒ    通路
【図１】
0005705686.tif 000002
【図２】
0005705686.tif 000003
【図３】
0005705686.tif 000004
【図４】
0005705686.tif 000005
【図５】
0005705686.tif 000006
【図６】
0005705686.tif 000007
【図７】
0005705686.tif 000008